(57)【特許請求の範囲】
【請求項１】
ジャック位置を示すための方法であって、
端末が位置する環境の照度値を前記端末が検出する段階と、
前記照度値が第１の予め定められた閾値よりも低いと前記端末が判定した場合に、前記端末が第２情報を検出する段階と、
前記第２情報が予め設定された条件を満たすと前記端末が判定した場合に、前記端末がプロンプト情報を表示する段階であって、前記プロンプト情報は、ジャック位置及びジャックの向きを示すのに用いられる、段階と
を備える、方法。
【請求項２】
前記プロンプト情報は、前記ジャックの前記向きを示す模式的アイコンを含む、
請求項１に記載の方法。
【請求項３】
前記第２情報は、前記端末の第１アプリケーションプログラムの動作状況であり、
前記第２情報が前記予め設定された条件を満たすと前記端末が判定した場合に、前記端末がプロンプト情報を表示する前記段階は、
前記第１アプリケーションプログラムが動作中であると前記端末が判定した場合に、前記端末が前記プロンプト情報を表示する段階であって、前記プロンプト情報は、第２ジャック位置を示すのに用いられる、段階
を含む、
請求項１または２に記載の方法。
【請求項４】
前記第１アプリケーションプログラムは、具体的には、周波数変調ＦＭアプリケーションまたは音楽アプリケーションを含む、請求項３に記載の方法。
【請求項５】
ジャック位置を示すための方法であって、
端末が位置する環境の照度値を前記端末が検出する段階と、
前記照度値が第１の予め定められた閾値よりも低いと前記端末が判定した場合に、前記端末が第２情報を検出する段階と、
前記第２情報が予め設定された条件を満たすと前記端末が判定した場合に、前記端末がプロンプト情報を表示する段階であって、前記プロンプト情報は、ジャック位置を示すのに用いられる、段階と
を備え、
前記第２情報は、前記端末の第１アプリケーションプログラムの動作状況であり、
前記第２情報が前記予め設定された条件を満たすと前記端末が判定した場合に、前記端末がプロンプト情報を表示する前記段階は、
前記第１アプリケーションプログラムが動作中であると前記端末が判定した場合に、前記端末が前記プロンプト情報を表示する段階であって、前記プロンプト情報は、第２ジャック位置を示すのに用いられる、段階
を含み、
前記第１アプリケーションプログラムは、具体的には、周波数変調ＦＭアプリケーションまたは音楽アプリケーションを含む、方法。
【請求項６】
前記第２情報は、前記端末が位置する前記環境のノイズ値および前記端末の通話状況であり、
前記第２情報が前記予め設定された条件を満たすと前記端末が判定する場合に、プロンプト情報を表示する前記段階は、
前記端末が位置する前記環境の前記ノイズ値が第３の予め定められた閾値よりも大きく、前記端末が通話命令を受け取った場合に、前記プロンプト情報を表示する段階であって、前記プロンプト情報は、第２ジャック位置を示すのに用いられる、段階、または、
前記端末が位置する前記環境の前記ノイズ値が第３の予め定められた閾値よりも大きく、前記端末がユーザにより入力されたダイアル命令を受け取った場合に、前記プロンプト情報を表示する段階であって、前記プロンプト情報は、第２ジャック位置を示すのに用いられる、段階、または、
前記端末が位置する前記環境の前記ノイズ値が第３の予め定められた閾値よりも大きく、前記端末が通話中である場合に、前記プロンプト情報を表示する段階であって、前記プロンプト情報は、第２ジャック位置を示すのに用いられる、段階
を含む、
請求項１または２に記載の方法。
【請求項７】
ジャック位置を示すための方法であって、
端末が位置する環境の照度値を前記端末が検出する段階と、
前記照度値が第１の予め定められた閾値よりも低いと前記端末が判定した場合に、前記端末が第２情報を検出する段階と、
前記第２情報が予め設定された条件を満たすと前記端末が判定した場合に、前記端末がプロンプト情報を表示する段階であって、前記プロンプト情報は、ジャック位置を示すのに用いられる、段階と
を備え、
前記第２情報は、前記端末が位置する前記環境のノイズ値および前記端末の通話状況であり、
前記第２情報が前記予め設定された条件を満たすと前記端末が判定する場合に、プロンプト情報を表示する前記段階は、
前記端末が位置する前記環境の前記ノイズ値が第３の予め定められた閾値よりも大きく、前記端末が通話命令を受け取った場合に、前記プロンプト情報を表示する段階であって、前記プロンプト情報は、第２ジャック位置を示すのに用いられる、段階、または、
前記端末が位置する前記環境の前記ノイズ値が第３の予め定められた閾値よりも大きく、前記端末がユーザにより入力されたダイアル命令を受け取った場合に、前記プロンプト情報を表示する段階であって、前記プロンプト情報は、第２ジャック位置を示すのに用いられる、段階、または、
前記端末が位置する前記環境の前記ノイズ値が第３の予め定められた閾値よりも大きく、前記端末が通話中である場合に、前記プロンプト情報を表示する段階であって、前記プロンプト情報は、第２ジャック位置を示すのに用いられる、段階
を含む、
方法。
【請求項８】
前記第２情報は、前記端末のバッテリレベルであり、
前記第２情報が前記予め設定された条件を満たすと前記端末が判定した場合に、前記端末がプロンプト情報を表示する前記段階は、
前記端末の前記バッテリレベルが第２の予め定められた閾値よりも低いと前記端末が判定した場合に、前記端末が前記プロンプト情報を表示する段階であって、前記プロンプト情報は、第１ジャック位置を示すのに用いられる、段階
を含む、
請求項１〜７の何れか一項に記載の方法。
【請求項９】
端末であって、
検出ユニットと、処理ユニットと、表示ユニットとを備え、
前記検出ユニットは、前記端末が位置する環境の照度値を検出し、
前記処理ユニットは、前記検出ユニットにより検出される前記照度値が第１の予め定められた閾値よりも低いか否かを判定し、
前記検出ユニットは、さらに、前記照度値が前記第１の予め定められた閾値よりも低いと前記処理ユニットが判定した場合に、第２情報を検出し、
前記処理ユニットは、さらに、前記第２情報が予め設定された条件を満たすか否かを判定し、
前記表示ユニットは、前記第２情報が前記予め設定された条件を満たすと前記処理ユニットが判定した場合に、プロンプト情報を表示し、前記プロンプト情報は、ジャック位置及びジャックの向きを示すのに用いられる、
端末。
【請求項１０】
前記プロンプト情報は、前記ジャックの前記向きを示す模式的アイコンを含む、
請求項９に記載の端末。
【請求項１１】
前記第２情報は、前記端末の第１アプリケーションプログラムの動作状況であり、
前記表示ユニットは、具体的には、前記第１アプリケーションプログラムを動作させることを処理ユニットが判定した場合に、前記プロンプト情報を表示し、前記プロンプト情報は、第２ジャック位置を示すのに用いられる、
請求項９または１０に記載の端末。
【請求項１２】
前記第１アプリケーションプログラムは、具体的には、周波数変調ＦＭアプリケーションまたは音楽アプリケーションを含む、
請求項１１に記載の端末。
【請求項１３】
端末であって、
検出ユニットと、処理ユニットと、表示ユニットとを備え、
前記検出ユニットは、前記端末が位置する環境の照度値を検出し、
前記処理ユニットは、前記検出ユニットにより検出される前記照度値が第１の予め定められた閾値よりも低いか否かを判定し、
前記検出ユニットは、さらに、前記照度値が前記第１の予め定められた閾値よりも低いと前記処理ユニットが判定した場合に、第２情報を検出し、
前記処理ユニットは、さらに、前記第２情報が予め設定された条件を満たすか否かを判定し、
前記表示ユニットは、前記第２情報が前記予め設定された条件を満たすと前記処理ユニットが判定した場合に、プロンプト情報を表示し、前記プロンプト情報は、ジャック位置を示すのに用いられ、
前記第２情報は、前記端末の第１アプリケーションプログラムの動作状況であり、
前記表示ユニットは、具体的には、前記第１アプリケーションプログラムを動作させることを処理ユニットが判定した場合に、前記プロンプト情報を表示し、前記プロンプト情報は、第２ジャック位置を示すのに用いられ、
前記第１アプリケーションプログラムは、具体的には、周波数変調ＦＭアプリケーションまたは音楽アプリケーションを含む、
端末。
【請求項１４】
前記第２情報は、前記端末が位置する前記環境のノイズ値および前記端末の通話状況であり、
前記表示ユニットは、具体的には、
前記端末が位置する前記環境の前記ノイズ値が第３の予め定められた閾値よりも大きく、前記端末が通話命令を受け取った場合に、前記プロンプト情報を表示し、前記プロンプト情報は、第２ジャック位置を示すのに用いられる、または、
前記端末が位置する前記環境の前記ノイズ値が第３の予め定められた閾値よりも大きく、前記端末がユーザにより入力されたダイアル命令を受け取った場合に、前記プロンプト情報を表示し、前記プロンプト情報は、第２ジャック位置を示すのに用いられる、または、
前記端末が位置する前記環境の前記ノイズ値が第３の予め定められた閾値よりも大きく、前記端末が通話中である場合に、前記プロンプト情報を表示し、前記プロンプト情報は、第２ジャック位置を示すのに用いられる、
請求項９または１０に記載の端末。
【請求項１５】
端末であって、
検出ユニットと、処理ユニットと、表示ユニットとを備え、
前記検出ユニットは、前記端末が位置する環境の照度値を検出し、
前記処理ユニットは、前記検出ユニットにより検出される前記照度値が第１の予め定められた閾値よりも低いか否かを判定し、
前記検出ユニットは、さらに、前記照度値が前記第１の予め定められた閾値よりも低いと前記処理ユニットが判定した場合に、第２情報を検出し、
前記処理ユニットは、さらに、前記第２情報が予め設定された条件を満たすか否かを判定し、
前記表示ユニットは、前記第２情報が前記予め設定された条件を満たすと前記処理ユニットが判定した場合に、プロンプト情報を表示し、前記プロンプト情報は、ジャック位置を示すのに用いられ、
前記第２情報は、前記端末が位置する前記環境のノイズ値および前記端末の通話状況であり、
前記表示ユニットは、具体的には、
前記端末が位置する前記環境の前記ノイズ値が第３の予め定められた閾値よりも大きく、前記端末が通話命令を受け取った場合に、前記プロンプト情報を表示し、前記プロンプト情報は、第２ジャック位置を示すのに用いられる、または、
前記端末が位置する前記環境の前記ノイズ値が第３の予め定められた閾値よりも大きく、前記端末がユーザにより入力されたダイアル命令を受け取った場合に、前記プロンプト情報を表示し、前記プロンプト情報は、第２ジャック位置を示すのに用いられる、または、
前記端末が位置する前記環境の前記ノイズ値が第３の予め定められた閾値よりも大きく、前記端末が通話中である場合に、前記プロンプト情報を表示し、前記プロンプト情報は、第２ジャック位置を示すのに用いられる、
端末。
【請求項１６】
前記第２情報は、前記端末のバッテリレベルであり、
前記表示ユニットは、具体的には、前記端末の前記バッテリレベルが第２の予め定められた閾値よりも低いと前記処理ユニットが判定した場合に、前記プロンプト情報を表示し、前記プロンプト情報は、第１ジャック位置を示すのに用いられる、
請求項９〜１５の何れか一項に記載の端末。
【請求項１７】
端末であって、
センサと、プロセッサと、スクリーンディスプレイとを備え、
前記センサは、前記端末が位置する環境の照度値を検出し、
前記プロセッサは、前記センサにより検出される前記照度値が第１の予め定められた閾値よりも低いか否かを判定し、
前記センサは、さらに、前記照度値が前記第１の予め定められた閾値よりも低いと前記プロセッサが判定した場合に、第２情報を検出し、
前記プロセッサは、さらに、前記第２情報が前記端末の予め設定された条件を満たすか否かを判定し、前記第２情報が前記予め設定された条件を満たすと判定した場合にプロンプト命令を前記スクリーンディスプレイに送り、前記プロンプト命令は、プロンプト情報を表示するよう前記スクリーンディスプレイに命令するのに用いられ、
前記スクリーンディスプレイは、前記プロンプト命令を受け取り、前記プロンプト命令に従って前記プロンプト情報を表示し、前記プロンプト情報は、ジャック位置及びジャックの向きを示すのに用いられる、
端末。
【請求項１８】
前記プロンプト情報は、前記ジャックの前記向きを示す模式的アイコンを含む、
請求項１７に記載の端末。
【請求項１９】
前記第２情報は、前記端末の第１アプリケーションプログラムの動作状況であり、
前記プロセッサは、前記端末の前記第１アプリケーションプログラムを動作させることを判定した場合に、前記プロンプト命令を前記スクリーンディスプレイに送り、
前記スクリーンディスプレイは、前記プロンプト命令を受け取り、前記プロンプト命令に従って前記プロンプト情報を表示し、前記プロンプト情報は、第２ジャック位置を示すのに用いられる、
請求項１７または１８に記載の端末。
【請求項２０】
前記第１アプリケーションプログラムは、具体的には、周波数変調ＦＭアプリケーションまたは音楽アプリケーションを含む、
請求項１９に記載の端末。
【請求項２１】
端末であって、
センサと、プロセッサと、スクリーンディスプレイとを備え、
前記センサは、前記端末が位置する環境の照度値を検出し、
前記プロセッサは、前記センサにより検出される前記照度値が第１の予め定められた閾値よりも低いか否かを判定し、
前記センサは、さらに、前記照度値が前記第１の予め定められた閾値よりも低いと前記プロセッサが判定した場合に、第２情報を検出し、
前記プロセッサは、さらに、前記第２情報が前記端末の予め設定された条件を満たすか否かを判定し、前記第２情報が前記予め設定された条件を満たすと判定した場合にプロンプト命令を前記スクリーンディスプレイに送り、前記プロンプト命令は、プロンプト情報を表示するよう前記スクリーンディスプレイに命令するのに用いられ、
前記スクリーンディスプレイは、前記プロンプト命令を受け取り、前記プロンプト命令に従って前記プロンプト情報を表示し、前記プロンプト情報は、ジャック位置を示すのに用いられ、
前記第２情報は、前記端末の第１アプリケーションプログラムの動作状況であり、
前記プロセッサは、前記端末の前記第１アプリケーションプログラムを動作させることを判定した場合に、前記プロンプト命令を前記スクリーンディスプレイに送り、
前記スクリーンディスプレイは、前記プロンプト命令を受け取り、前記プロンプト命令に従って前記プロンプト情報を表示し、前記プロンプト情報は、第２ジャック位置を示すのに用いられ、
前記第１アプリケーションプログラムは、具体的には、周波数変調ＦＭアプリケーションまたは音楽アプリケーションを含む、
端末。
【請求項２２】
前記第２情報は、前記端末が位置する前記環境のノイズ値および前記端末の通話状況であり、
前記プロセッサは、前記端末が位置する前記環境の前記ノイズ値が第３の予め定められた閾値よりも大きいと判定し、前記端末が通話命令を受け取った場合に、前記プロンプト命令を前記スクリーンディスプレイに送り、
前記スクリーンディスプレイは、前記プロンプト命令を受け取り、前記プロンプト命令に従って前記プロンプト情報を表示し、前記プロンプト情報は、第２ジャック位置を示すのに用いられる、または、
前記プロセッサは、前記端末が位置する前記環境の前記ノイズ値が第３の予め定められた閾値よりも大きいと判定し、前記端末がユーザにより入力されたダイアル命令を受け取った場合に、前記プロンプト命令を前記スクリーンディスプレイに送り、
前記スクリーンディスプレイは、前記プロンプト命令を受け取り、前記プロンプト命令に従って前記プロンプト情報を表示し、前記プロンプト情報は、第２ジャック位置を示すのに用いられる、または、
前記プロセッサは、前記端末が位置する前記環境の前記ノイズ値が第３の予め定められた閾値よりも大きいと判定し、前記端末が通話中である場合に、前記プロンプト命令を前記スクリーンディスプレイに送り、
前記スクリーンディスプレイは、前記プロンプト命令を受け取り、前記プロンプト命令に従って前記プロンプト情報を表示し、前記プロンプト情報は、第２ジャック位置を示すのに用いられる、
請求項１７または１８に記載の端末。
【請求項２３】
端末であって、
センサと、プロセッサと、スクリーンディスプレイとを備え、
前記センサは、前記端末が位置する環境の照度値を検出し、
前記プロセッサは、前記センサにより検出される前記照度値が第１の予め定められた閾値よりも低いか否かを判定し、
前記センサは、さらに、前記照度値が前記第１の予め定められた閾値よりも低いと前記プロセッサが判定した場合に、第２情報を検出し、
前記プロセッサは、さらに、前記第２情報が前記端末の予め設定された条件を満たすか否かを判定し、前記第２情報が前記予め設定された条件を満たすと判定した場合にプロンプト命令を前記スクリーンディスプレイに送り、前記プロンプト命令は、プロンプト情報を表示するよう前記スクリーンディスプレイに命令するのに用いられ、
前記スクリーンディスプレイは、前記プロンプト命令を受け取り、前記プロンプト命令に従って前記プロンプト情報を表示し、前記プロンプト情報は、ジャック位置を示すのに用いられ、
前記第２情報は、前記端末が位置する前記環境のノイズ値および前記端末の通話状況であり、
前記プロセッサは、前記端末が位置する前記環境の前記ノイズ値が第３の予め定められた閾値よりも大きいと判定し、前記端末が通話命令を受け取った場合に、前記プロンプト命令を前記スクリーンディスプレイに送り、
前記スクリーンディスプレイは、前記プロンプト命令を受け取り、前記プロンプト命令に従って前記プロンプト情報を表示し、前記プロンプト情報は、第２ジャック位置を示すのに用いられる、または、
前記プロセッサは、前記端末が位置する前記環境の前記ノイズ値が第３の予め定められた閾値よりも大きいと判定し、前記端末がユーザにより入力されたダイアル命令を受け取った場合に、前記プロンプト命令を前記スクリーンディスプレイに送り、
前記スクリーンディスプレイは、前記プロンプト命令を受け取り、前記プロンプト命令に従って前記プロンプト情報を表示し、前記プロンプト情報は、第２ジャック位置を示すのに用いられる、または、
前記プロセッサは、前記端末が位置する前記環境の前記ノイズ値が第３の予め定められた閾値よりも大きいと判定し、前記端末が通話中である場合に、前記プロンプト命令を前記スクリーンディスプレイに送り、
前記スクリーンディスプレイは、前記プロンプト命令を受け取り、前記プロンプト命令に従って前記プロンプト情報を表示し、前記プロンプト情報は、第２ジャック位置を示すのに用いられる、
端末。
【請求項２４】
前記第２情報は、前記端末のバッテリレベルであり、
前記プロセッサは、前記端末の前記バッテリレベルが第２の予め定められた閾値よりも低いと判定した場合に、前記プロンプト命令を前記スクリーンディスプレイに送り、
前記スクリーンディスプレイは、前記プロンプト命令を受け取り、前記プロンプト命令に従って前記プロンプト情報を表示し、前記プロンプト情報は、第１ジャック位置を示すのに用いられる、
請求項１７〜２３の何れか一項に記載の端末。
【発明の詳細な説明】
【技術分野】
【０００１】
本発明は、電子アプリケーションの分野に関し、特に、ジャック位置を示すための方法および端末に関する。
【背景技術】
【０００２】
多種多様な携帯電話製品が広く実生活で用いられており、充電ジャック位置およびイヤホンジャック位置は、各種の携帯電話で異なる。暗い夜間にまたは薄暗い場所で、ユーザが携帯電話充電器またはイヤホンを挿入する必要がある場合に、ユーザが一回で正しくジャック位置を見つけることは困難である。このことは、不要な手間をユーザにもたらす。その上、ＵＳＢジャックの物理的特徴に起因して、携帯電話のＵＳＢ挿入用のジャック位置は固定されているが、ユーザは使用過程においてＵＳＢジャックを誤って逆向きに携帯電話に挿入することが多々ある。この場合も、使用過程において不要な手間をユーザにもたらす。
【発明の概要】
【０００３】
本発明の実施形態は、ジャック位置を示すための方法および端末を提供する。暗い夜間にまたは薄暗い場所であっても、ユーザは、容易にかつ正確に端末デバイスのジャック位置を見つけることができ、それにより、光が不十分な場合にユーザが端末を使用するときに生じる不要な手間を回避する。
【０００４】
第１態様によれば、本発明は、ジャック位置を示すための方法を提供する。当該方法は、端末が位置する環境の照度値を端末が検出する段階と、照度値が第１の予め定められた閾値よりも低いと端末が判定した場合に、端末が第２情報を検出する段階と、第２情報が予め設定された条件を満たすと端末が判定した場合に、端末がプロンプト情報を表示する段階であって、プロンプト情報は、ジャック位置を示すのに用いられる、段階とを備える。
【０００５】
第１態様に関連して、第１態様の第１の可能な実装形態において、第２情報は、端末のバッテリレベルであり、第２情報が予め設定された条件を満たすと端末が判定した場合に、端末がプロンプト情報を表示する段階は、端末のバッテリレベルが第２の予め定められた閾値よりも低いと端末が判定した場合に、端末がプロンプト情報を表示する段階であって、プロンプト情報は、第１ジャック位置を示すのに用いられる、段階を含む。
【０００６】
第１態様または第１態様の第１の可能な実装形態に関連して、第１態様の第２の可能な実装形態において、第２情報は、端末の第１アプリケーションプログラムの動作状況であり、第２情報が予め設定された条件を満たすと端末が判定した場合に、端末がプロンプト情報を表示する段階は、第１アプリケーションプログラムが動作中であると端末が判定した場合に、端末がプロンプト情報を表示する段階であって、プロンプト情報は、第２ジャック位置を示すのに用いられる、段階を含む。
【０００７】
第１態様の第２の可能な実装形態に関連して、第１態様の第３の可能な実装形態において、第１アプリケーションプログラムは、周波数変調ＦＭアプリケーションまたは音楽アプリケーションを含む。
【０００８】
第１態様または第１態様の第１の可能な実装形態に関連して、第１態様の第４の可能な実装形態において、第２情報は、端末が位置する環境のノイズ値および端末の通話状況であり、第２情報が予め設定された条件を満たすと端末が判定する場合に、プロンプト情報を表示する段階は、端末が位置する環境のノイズ値が第３の予め定められた閾値よりも大きく、端末が通話命令を受け取った場合に、プロンプト情報を表示する段階であって、プロンプト情報は、第２ジャック位置を示すのに用いられる、段階、または、端末が位置する環境のノイズ値が第３の予め定められた閾値よりも大きく、端末がユーザにより入力されたダイアル命令を受け取った場合に、プロンプト情報を表示する段階であって、プロンプト情報は、第２ジャック位置を示すのに用いられる、段階、または、端末が位置する環境のノイズ値が第３の予め定められた閾値よりも大きく、端末が通話中である場合に、プロンプト情報を表示する段階であって、プロンプト情報は、第２ジャック位置を示すのに用いられる、段階を含む。
【０００９】
第２態様によれば、本発明は、端末を提供する。当該端末は、検出ユニットと、処理ユニットと、表示ユニットとを備え、検出ユニットは、端末が位置する環境の照度値を検出するよう構成され、処理ユニットは、検出ユニットにより検出される照度値が第１の予め定められた閾値よりも低いか否かを判定するよう構成され、検出ユニットは、さらに、照度値が第１の予め定められた閾値よりも低いと処理ユニットが判定した場合に、第２情報を検出するよう構成され、処理ユニットは、さらに、第２情報が予め設定された条件を満たすか否かを判定するよう構成され、表示ユニットは、第２情報が予め設定された条件を満たすと処理ユニットが判定した場合に、プロンプト情報を表示するよう構成され、プロンプト情報は、ジャック位置を示すのに用いられる。
【００１０】
第２態様に関連して、第２態様の第１の可能な実装形態において、第２情報は、端末のバッテリレベルであり、表示ユニットは、具体的には、端末のバッテリレベルが第２の予め定められた閾値よりも低いと処理ユニットが判定した場合に、プロンプト情報を表示するよう構成され、プロンプト情報は、第１ジャック位置を示すのに用いられる。
【００１１】
第２態様または第２態様の第１の可能な実装形態に関連して、第２態様の第２の可能な実装形態において、第２情報は、端末の第１アプリケーションプログラムの動作状況であり、表示ユニットは、具体的には、第１アプリケーションプログラムを動作させることを処理ユニットが判定した場合に、プロンプト情報を表示するよう構成され、プロンプト情報は、第２ジャック位置を示すのに用いられる。
【００１２】
第２態様の第２の可能な実装形態に関連して、第２態様の第３の可能な実装形態において、第１アプリケーションプログラムは、周波数変調ＦＭアプリケーションまたは音楽アプリケーションを含む。
【００１３】
第２態様または第２態様の第１の可能な実装形態に関連して、第２態様の第４の可能な実装形態において、第２情報は、端末が位置する環境のノイズ値および端末の通話状況であり、表示ユニットは、具体的には、端末が位置する環境のノイズ値が第３の予め定められた閾値よりも大きく、端末が通話命令を受け取った場合に、プロンプト情報を表示するよう構成され、プロンプト情報は、第２ジャック位置を示すのに用いられる、または、端末が位置する環境のノイズ値が第３の予め定められた閾値よりも大きく、端末がユーザにより入力されたダイアル命令を受け取った場合に、プロンプト情報を表示するよう構成され、プロンプト情報は、第２ジャック位置を示すのに用いられる、または、端末が位置する環境のノイズ値が第３の予め定められた閾値よりも大きく、端末が通話中である場合に、プロンプト情報を表示するよう構成され、プロンプト情報は、第２ジャック位置を示すのに用いられる。
【００１４】
第３態様によれば、本発明は、端末を提供する。当該端末は、センサと、プロセッサと、スクリーンディスプレイとを備え、センサは、端末が位置する環境の照度値を検出するよう構成され、プロセッサは、センサにより検出される照度値が第１の予め定められた閾値よりも低いか否かを判定するよう構成され、センサは、さらに、照度値が第１の予め定められた閾値よりも低いとプロセッサが判定した場合に、第２情報を検出するよう構成され、プロセッサは、さらに、第２情報が端末の予め設定された条件を満たすか否かを判定し、第２情報が予め設定された条件を満たすと判定した場合にプロンプト命令をスクリーンディスプレイに送るよう構成され、プロンプト命令は、プロンプト情報を表示するようスクリーンディスプレイに命令するのに用いられ、スクリーンディスプレイは、プロンプト命令を受け取り、プロンプト命令に従ってプロンプト情報を表示するよう構成され、プロンプト情報は、ジャック位置を示すのに用いられる。
【００１５】
第３態様に関連して、第３態様の第１の可能な実装形態において、第２情報は、端末のバッテリレベルであり、プロセッサは、端末のバッテリレベルが第２の予め定められた閾値よりも低いと判定した場合に、プロンプト命令をスクリーンディスプレイに送り、スクリーンディスプレイは、プロンプト命令を受け取り、プロンプト命令に従ってプロンプト情報を表示し、プロンプト情報は、第１ジャック位置を示すのに用いられる。
【００１６】
第３態様または第３態様の第１の可能な実装形態に関連して、第３態様の第２の可能な実装形態において、第２情報は、端末の第１アプリケーションプログラムの動作状況であり、プロセッサは、端末の第１アプリケーションプログラムを動作させることを判定した場合に、プロンプト命令をスクリーンディスプレイに送り、スクリーンディスプレイは、プロンプト命令を受け取り、プロンプト命令に従ってプロンプト情報を表示し、プロンプト情報は、第２ジャック位置を示すのに用いられる。
【００１７】
第３態様または第３態様の第１の可能な実装形態に関連して、第３態様の第３の可能な実装形態において、第２情報は、端末が位置する環境のノイズ値および端末の通話状況であり、プロセッサは、端末が位置する環境のノイズ値が第３の予め定められた閾値よりも大きいと判定し、端末が通話命令を受け取った場合に、プロンプト命令をスクリーンディスプレイに送り、スクリーンディスプレイは、プロンプト命令を受け取り、プロンプト命令に従ってプロンプト情報を表示し、プロンプト情報は、第２ジャック位置を示すのに用いられる、または、プロセッサは、端末が位置する環境のノイズ値が第３の予め定められた閾値よりも大きと判定し、端末がユーザにより入力されたダイアル命令を受け取った場合に、プロンプト命令をスクリーンディスプレイに送り、スクリーンディスプレイは、プロンプト命令を受け取り、プロンプト命令に従ってプロンプト情報を表示し、プロンプト情報は、第２ジャック位置を示すのに用いられる、または、プロセッサは、端末が位置する環境のノイズ値が第３の予め定められた閾値よりも大きいと判定し、端末が通話中である場合に、プロンプト命令をスクリーンディスプレイに送り、スクリーンディスプレイは、プロンプト命令を受け取り、プロンプト命令に従ってプロンプト情報を表示し、プロンプト情報は、第２ジャック位置を示すのに用いられる。
【００１８】
上記の技術的解決手段に基づくと、本発明の実施形態において提供されるジャック位置を示すための方法および端末によれば、端末が位置する環境の照度値が第１の予め定められた閾値よりも低いか否かがリアルタイムでまたは定期的に判定される。照度値が第１の予め定められた閾値よりも低く、端末の条件が予め設定された条件を満たす場合、ジャック位置を示すのに用いられるプロンプト情報が予め設定された条件に従って表示され、それによりユーザは、暗い夜間にまたは薄暗い場所で容易にかつ正確に端末デバイスのジャック位置を見つけることができる。
【図面の簡単な説明】
【００１９】
【図１】本発明の一実施形態に係るジャック位置を示すための方法の模式的フローチャートである。
【００２０】
【図２】本発明の一実施形態に係るジャック位置を示す模式図である。
【００２１】
【図３】本発明の一実施形態に係る端末の模式構造図の一例である。
【００２２】
【図４】本発明の一実施形態に係る端末の模式構造図の一例である。
【発明を実施するための形態】
【００２３】
以下、添付の図面および実施形態を参照して本発明の技術的解決手段をさらに詳細に説明する。
【００２４】
本発明の実施形態の目的、技術的解決手段、および利点をより明確にすべく、以下、本発明の実施形態における添付の図面を参照して本発明の実施形態における技術的解決手段を明確かつ完全に説明する。説明されている実施形態は、本発明の実施形態の一部であり、全部ではないことは明らかである。当業者により本発明の実施形態に基づいて創造的努力なく得られるすべての他の実施形態は、本発明の保護範囲に収まるものとする。
【００２５】
本発明の一実施形態において提供されるジャック位置を示すための方法によれば、端末が位置する環境の照度値が第１の予め定められた閾値よりも低いか否かがリアルタイムでまたは定期的に判定される。照度値が第１の予め定められた閾値よりも低く、端末の条件が予め設定された条件を満たす場合、ジャック位置を示すのに用いられるプロンプト情報が予め設定された条件に従って表示される。よって、ユーザは、暗い夜間にまたは薄暗い場所で端末デバイスのジャック位置を容易にかつ正確に見つけることができる。
【００２６】
図１は、本発明の一実施形態に係るジャック位置を示すための方法のフローチャートである。図１に示すように、当該方法は以下を備える。
【００２７】
Ｓ１１０。端末は、端末が位置する環境の照度値を検出する。
【００２８】
具体的には、端末は、端末が位置する環境の照度値を、リアルタイムでまたは間隔を空けて検出してよい。
【００２９】
Ｓ１２０。端末は、照度値が第１の予め定められた閾値よりも低いと判定した場合に、第２情報を検出する。
【００３０】
Ｓ１３０。端末は、第２情報が予め設定された条件を満たすと判定した場合に、プロンプト情報を表示する。プロンプト情報は、ジャック位置を示すのに用いられる。
【００３１】
具体的には、第２情報は、端末のバッテリレベル、端末の第１アプリケーションプログラムの動作状況、または端末が位置する環境のノイズ値と端末の通話状況との両方等を含んでよい。通話状況は、以下を含んでよい。端末が通話命令を受け取ること、端末がユーザにより入力されたダイアル命令を受け取ること、または端末が通話中であること等。予め設定された条件は、以下を含んでよい。端末のバッテリレベルが第２の予め定められた閾値よりも低いことが検出されること、または、第１アプリケーションプログラムが動作を開始したところである、もしくは動作中であると端末が判定すること。アプリケーションプログラムは、ＦＭアプリケーションまたは音楽アプリケーション等を含んでよい。代替的に、予め設定された条件は、以下を含む。端末が位置する環境のノイズ値が第３の予め定められた閾値よりも大きいことを端末が検出し、端末が通話命令を受け取ること、または、端末が位置する環境のノイズ値が第３の予め定められた閾値よりも大きいことを端末が検出し、端末がユーザにより入力されたダイアル命令を受け取ること、または、端末が位置する環境のノイズ値が第３の予め定められた閾値よりも大きいことを端末が検出し、端末が通話中であること。上記で説明した第２情報のいずれかが対応する予め設定された条件を満たす場合に、プロンプト情報が表示される。プロンプト情報は、ジャック位置を示すのに用いられる。
【００３２】
例えば、端末は、端末のバッテリレベルが第２の予め定められた閾値よりも低いと判定した場合に、プロンプト情報を表示する。プロンプト情報は、第１ジャック位置を示すのに用いられる。本発明の本実施形態において、第１ジャック位置は、充電器ジャック位置である。
【００３３】
代替的に、端末は、端末が位置する環境のノイズ値が第３の予め定められた閾値よりも大きい場合であって、第１アプリケーションプログラムが動作中であると端末が判定した場合に、プロンプト情報を表示する。プロンプト情報は、第２ジャック位置を示すのに用いられる。本実施形態において、第２ジャック位置は、イヤホンジャック位置である。
【００３４】
第１アプリケーションプログラムが動作中であると端末が判定することは、以下を含んでよいことを理解されたい。端末が第１アプリケーションプログラムの動作を開始したところであること、または、端末がアプリケーションプログラムを動作中であること。
【００３５】
代替的に、端末により表示されるプロンプト情報は、端末が位置する環境のノイズ値が第３の予め定められた閾値よりも大きく、端末が通話命令を受け取った場合に、第２ジャック位置を示すのに用いられる。本発明の本実施形態において、第２ジャック位置は、イヤホンジャック位置である。代替的に、端末が位置する環境のノイズ値が第３の予め定められた閾値よりも大きい場合であって、端末がユーザにより入力されたダイアル命令を受け取った場合に、プロンプト情報が表示される。プロンプト情報は、第２ジャック位置を示すのに用いられる。代替的に、端末が位置する環境のノイズ値が第３の予め定められた閾値よりも大きい場合であって、端末が通話中である場合に、プロンプト情報が表示される。プロンプト情報は、第２ジャック位置を示すのに用いられる。
【００３６】
本発明の本実施形態において、端末のバッテリレベルが第２の予め定められた閾値よりも低い場合、端末により表示されるプロンプト情報は、第１ジャック位置を示す、すなわち、充電器ジャック位置を示すのに用いられることを理解されたい。加えて、プロンプト情報は、充電器プラグが正しく挿入されることを確実にするべく、挿入方向を示すのに用いられてよい。
【００３７】
ある時点では、１つの情報に加えて、予め設定された条件を同時に満たし、第２情報に含まれる２つ以上の情報が存在してもよいことに留意されたい。例えば、ある時点では、端末のバッテリレベルが第２の予め定められた閾値よりも低く、端末が位置する環境のノイズ値が第３の予め定められた閾値よりも大きく、端末が通話命令を受け取る。よって、端末により表示されるプロンプト情報は、第１ジャック位置および第２ジャック位置を示す、すなわち、充電器ジャック位置および充電器ジャックの向きならびにイヤホンジャック位置を示すのに用いられる。
【００３８】
よって、本発明の本実施形態において提供されるジャック位置を示すための方法によれば、端末が位置する環境の照度値がリアルタイムでまたは定期的に判定される。第２情報は、照度値が第１の予め定められた閾値よりも低いと判定された場合に検出される。第２情報が予め設定された条件を満たすと端末デバイスが判定した場合、ジャック位置を示すのに用いられるプロンプト情報が予め設定された条件に従って表示され、それによりユーザは、暗い夜間にまたは薄暗い場所で端末デバイスのジャック位置を容易にかつ正確に見つけることができる。
【００３９】
下記、携帯電話を一例として用い、図２を参照して本発明の一実施形態の技術的解決手段をさらに詳細に説明する。
【００４０】
図２は、本発明の一実施形態に係るジャック位置を示す模式図である。
【００４１】
具体的には、本発明の本実施形態において、携帯電話は、端末が位置する環境の照度値を、リアルタイムでまたは間隔を空けて一度検出してよい。例えば、携帯電話は、光センサのような検出モジュールを用いて、端末が位置する環境の照度値（単位：ルクス）を５分毎に一度検出し、検出結果をプロセッサにフィードバックしてよい。端末が位置する環境の照度値が０．５ルクスよりも小さいことを携帯電話が検出した場合、光が不十分であると考えられる。加えて、携帯電話は、携帯電話自体のバッテリレベルが１５％よりも低いと判定した場合、充電器ジャック位置を示し、挿入方向を示すべく、携帯電話のスクリーンを用いて充電器ジャック位置の模式的アイコン（図２に示す）を表示する。
【００４２】
よって、本発明の本実施形態において提供されるジャック位置を示すための方法によれば、携帯電話は、端末が位置する環境の照度値を、リアルタイムでまたは間隔を空けて一度検出する。加えて、照度値が第１の予め定められた閾値よりも低く、携帯電話自体のバッテリレベルが第２の予め定められた閾値よりも小さい場合、充電器ジャック位置を示すのに用いられるプロンプト情報が携帯電話のスクリーンに表示される。よって、ユーザは、携帯電話を充電するのに間に合って継続的に使用することができる。
【００４３】
代替的に、本発明の本実施形態において、携帯電話により検出される、端末が位置する環境の照度値が０．５ルクスよりも小さい場合であって、携帯電話の外部環境のノイズ値が１００デシベルよりも大きいことを携帯電話内のノイズセンサが検出し、ユーザの携帯電話が通話命令を受け取った場合、または、携帯電話の外部環境のノイズ値が１００デシベルよりも大きいことを携帯電話内のノイズセンサが検出し、ユーザの携帯電話がユーザにより入力されたダイアル命令を受け取った場合、または、携帯電話の外部環境のノイズ値が１００デシベルよりも大きいことを携帯電話内のノイズセンサが検出し、ユーザの携帯電話が通話中である場合、携帯電話は、イヤホンジャック位置を示すべく、携帯電話のスクリーンを用いてイヤホンジャック位置の模式的アイコン（図２に示す）を表示する。
【００４４】
代替的に、本発明の本実施形態において、携帯電話により検出される、端末が位置する環境の照度値が０．５ルクスよりも小さい場合であって、携帯電話の外部環境のノイズ値が１００デシベルよりも大きいことを携帯電話内のノイズセンサが検出し、ユーザが携帯電話でＦＭアプリケーションまたは音楽アプリケーションを有効化したところである、またはもう有効化している場合、携帯電話は、イヤホンジャック位置を示すべく、スクリーンを用いてイヤホンジャック位置の模式的アイコン（図２に示す）を表示する。
【００４５】
よって、本発明の本実施形態において提供されるジャック位置を示すための方法によれば、携帯電話は、端末が位置する環境の照度値を、リアルタイムでまたは間隔を空けて一度検出する。加えて、照度値が第１の予め定められた閾値よりも低く、携帯電話により検出される、端末が位置する環境のノイズ値が第３の予め定められた閾値よりも大きい場合であって、携帯電話が通話状況にある（通話命令もしくはユーザにより入力されたダイアル命令を受け取ること、または通話中であることを含む）ことが検出された場合、イヤホンジャック位置を示すのに用いられるプロンプト情報が携帯電話のスクリーンに表示される。よって、ユーザは、応答サービスまたは通話サービスを処理するのに間に合って、他と通信することができる。代替的に、ユーザが携帯電話でＦＭアプリケーションまたは音楽アプリケーションを有効化したところである、または既に有効化している場合、イヤホンジャック位置を示すのに用いられるプロンプト情報が携帯電話のスクリーンに表示される。よって、ユーザは、音楽を観賞するのに間に合うことができる。
【００４６】
本発明の本実施形態において、ある時点では、１つの情報に加えて、予め設定された条件を同時に満たし、第２情報に含まれる２つ以上の情報が存在してもよい。
【００４７】
具体的には、本発明の本実施形態において、携帯電話により検出される、端末が位置する環境の照度値が０．５ルクスよりも小さい場合であって、携帯電話の外部環境のノイズ値が１００デシベルよりも大きいことを携帯電話内のノイズセンサが検出し、ユーザが携帯電話でＦＭアプリケーションを有効化中であるか、またはもう有効化しており、その時点で携帯電話自体のバッテリレベルが１５％よりも低いと判定された場合、携帯電話は、充電器ジャック位置、挿入方向、およびイヤホンジャック位置を示すべく、スクリーンを用いて、充電器ジャック位置の模式的アイコンとイヤホンジャック位置の模式的アイコンと（図２に示す）の両方を表示する。
【００４８】
よって、本発明の本実施形態において提供されるジャック位置を示すための方法によれば、端末が位置する環境の照度値がリアルタイムでまたは定期的に検出される。第２情報は、照度値が第１の予め定められた閾値よりも低いと判定された場合に検出される。第２情報が予め設定された条件を満たすと端末デバイスが判定した場合、ジャック位置を示すのに用いられるプロンプト情報が予め設定された条件に従って表示され、それにより、ユーザが、暗い夜間にまたは光が不十分な場合に端末デバイスを使用するときに、端末デバイスのジャック位置を容易に見つけることができることが確実になる。
【００４９】
様々なモデルの携帯電話が、異なるジャック位置を有する。よって、現在用いられている携帯電話のモデルを問い合わせることを容易にし、その携帯電話に対して対応するマッチングを行う（主に携帯電話の充電器ジャック位置およびイヤホンジャック位置をマッチングすることで、対応する位置を携帯電話のスクリーンに表示する）べく、上記の実施形態において提供されるジャック位置を示すための方法を行う場合には、データベースが携帯電話アプリケーションに予め記憶されている必要があることに留意されたい。当該データベースは、新たな携帯電話製品の関連データの適合を容易にするべく、ネットワークを用いてリアルタイムでさらに更新されてよい。
【００５０】
図３は、本発明の一実施形態に係る端末の模式構造図の一例である。図３に示すように、当該端末は、検出ユニット３０１と、処理ユニット３０２と、表示ユニット３０３とを備える。
【００５１】
検出ユニット３０１は、端末が位置する環境の照度値を検出するよう構成される。
【００５２】
具体的には、検出ユニット３０１は、端末が位置する環境の照度値を、リアルタイムでまたは間隔を空けて検出してよい。
【００５３】
処理ユニット３０２は、検出ユニット３０１により検出される照度値が第１の予め定められた閾値よりも低いか否かを判定するよう構成される。
【００５４】
検出ユニット３０１は、さらに、照度値が第１の予め定められた閾値よりも低いと処理ユニット３０２が判定した場合に、第２情報を検出するよう構成される。
【００５５】
処理ユニット３０２は、さらに、第２情報が予め設定された条件を満たすか否かを判定するよう構成される。
【００５６】
具体的には、第２情報は、端末のバッテリレベル、端末の第１アプリケーションプログラムの動作状況、または端末が位置する環境のノイズ値と端末の通話状況との両方等を含んでよい。通話状況は、以下を含んでよい。端末が通話命令を受け取ること、端末がユーザにより入力されたダイアル命令を受け取ること、または端末が通話中であること等。予め設定された条件は、以下を含んでよい。検出ユニット３０１により検出される端末のバッテリレベルが第２の予め定められた閾値よりも低いと処理ユニット３０２が判定すること、または、第１アプリケーションプログラムが動作を開始したところである、もしくは動作中であると処理ユニット３０２が判定すること。アプリケーションプログラムは、ＦＭアプリケーションまたは音楽アプリケーション等を含んでよい。代替的に、予め設定された条件は、以下を含む。検出ユニット３０１により検出される、端末が位置する環境のノイズ値が第３の予め定められた閾値よりも大きいと処理ユニット３０２が判定し、処理ユニット３０２が通話命令を受け取ること、または、端末が位置する環境のノイズ値が第３の予め定められた閾値よりも大きいことを処理ユニット３０２が検出し、処理ユニット３０２がユーザにより入力されたダイアル命令を受け取ること、または、検出ユニット３０１により検出される、端末が位置する環境のノイズ値が第３の予め定められた閾値よりも大きいと処理ユニット３０２が判定し、端末が通話中であること。
【００５７】
表示ユニット３０３は、第２情報が予め設定された条件を満たすと処理ユニットが判定した場合に、プロンプト情報を表示するよう構成される。プロンプト情報は、ジャック位置を示すのに用いられる。
【００５８】
具体的には、第２情報が予め設定された条件を満たすと処理ユニット３０２が判定した場合、例えば、端末のバッテリレベルが第２の予め定められた閾値よりも低いと処理ユニット３０２が判定した場合、処理ユニット３０２は、プロンプト情報を表示するよう表示ユニット３０３に命令する。プロンプト情報は、第１ジャック位置を示すのに用いられる。本発明の本実施形態において、第１ジャック位置は、充電器ジャック位置である。代替的に、端末が位置する環境のノイズ値が第３の予め定められた閾値よりも大きい場合であって、第１アプリケーションプログラムが動作中であると処理ユニット３０２が判定した場合、表示ユニット３０３は、プロンプト情報を表示するよう命令される。プロンプト情報は、第２ジャック位置を示すのに用いられる。
【００５９】
第１アプリケーションプログラムが動作中であると処理ユニット３０２が判定することは、以下を含んでよいことを理解されたい。端末が第１アプリケーションプログラムの動作を開始したところであること、または、端末がアプリケーションプログラムを動作中であること。
【００６０】
代替的に、検出ユニット３０１により検出される、端末が位置する環境のノイズ値が第３の予め定められた閾値よりも大きいと処理ユニット３０２が判定し、処理ユニット３０２が通話命令を受け取った場合、表示ユニット３０３は、プロンプト情報を表示するよう命令される。プロンプト情報は、第２ジャック位置を示すのに用いられる。本発明の本実施形態において、第２ジャック位置は、イヤホンジャック位置である。代替的に、端末が位置する環境のノイズ値が第３の予め定められた閾値よりも大きいことを検出ユニット３０１が検出し、処理ユニット３０２がユーザにより入力されたダイアル命令を受け取った場合、表示ユニット３０３は、プロンプト情報を表示するよう命令される。プロンプト情報は、第２ジャック位置を示すのに用いられる。代替的に、端末が位置する環境のノイズ値が第３の予め定められた閾値よりも大きいことを検出ユニット３０１が検出し、端末が通話中であると処理ユニット３０２が判定した場合、表示ユニット３０３は、プロンプト情報を表示するよう命令される。プロンプト情報は、第２ジャック位置を示すのに用いられる。
【００６１】
本発明の本実施形態において、検出ユニット３０１は、端末が位置する環境の照度値を検出するのみならず、端末が位置する環境のノイズ値も検出するよう構成されることを理解されたい。検出ユニット３０１は、フォトセンサおよび／またはノイズセンサを含んでよいが、本発明の本実施形態はこれに限定されるものではない。
【００６２】
端末のバッテリレベルが第２の予め定められた閾値よりも低い場合、表示ユニット３０３により表示されるプロンプト情報は、第１ジャック位置を示す、すなわち、充電器ジャック位置を示すのに用いられることをさらに理解されたい。加えて、プロンプト情報は、充電器プラグが正しく挿入されることを確実にするべく、挿入方向を示すのに用いられてよい。
【００６３】
具体的には、本発明の一実施形態において、検出ユニット３０１は、端末が位置する環境の照度値（単位：ルクス）を、リアルタイムでまたは間隔を空けて一度検出してよい。例えば、検出ユニット３０１は、端末が位置する環境の照度値を５分毎に一度検出し、検出結果を処理ユニット３０２にフィードバックする。処理ユニット３０２は、検出ユニット３０１により検出される照度値が０．５ルクスよりも小さいと判定し、端末自体のバッテリレベルが１５％よりも低いと判定した場合、充電器ジャック位置を示し、挿入方向を示すべく、充電器ジャック位置の模式的アイコン（図２に示す）を表示するよう表示ユニット３０３に命令する。
【００６４】
よって、本発明の本実施形態において提供される端末によれば、検出ユニット３０１は、端末が位置する環境の照度値を、リアルタイムでまたは定期的に一度検出する。加えて、照度値が第１の予め定められた閾値よりも低い場合であって、携帯電話自体のバッテリレベルが第２の予め定められた閾値よりも低いと処理ユニット３０２が判定した場合、処理ユニット３０２は、プロンプト情報を表示するよう表示ユニット３０３に命令する。充電器ジャック位置を示すのに用いられるプロンプト情報は、ユーザが携帯電話を充電するのに間に合って継続的に使用することに役立つ。
【００６５】
代替的に、本発明の別の実施形態において、処理ユニット３０２は、検出ユニット３０１により検出される照度値が０．５ルクスよりも小さいと判定し、検出ユニット３０１により検出される、端末の外部環境のノイズ値が１００デシベルよりも大きいと判定し、端末の第１アプリケーションプログラムが動作中であると判定した場合、イヤホンジャック位置を示すべく、イヤホンジャック位置の模式的アイコン（図２に示す）を表示するよう表示ユニット３０３に命令する。
【００６６】
第１アプリケーションプログラムは、ＦＭアプリケーションまたは音楽アプリケーションを含んでよいことを理解されたい。  第１アプリケーションプログラムが動作中であると処理ユニット３０２が判定することは、以下を含んでよい。端末が第１アプリケーションプログラムの動作を開始したところであること、または端末がアプリケーションプログラムを動作中であること。
【００６７】
代替的に、本発明のさらに別の実施形態において、処理ユニット３０２は、検出ユニット３０１により検出される、端末が位置する環境の照度値が０．５ルクスよりも小さいと判定し、検出ユニット３０１により検出される、処理ユニット３０２の外部環境のノイズ値が１００デシベルよりも大きいと判定し、通話命令を受け取った場合、イヤホンジャック位置を示すべく、イヤホンジャック位置の模式的アイコン（図２に示す）を表示するよう表示ユニット３０３に命令する。
【００６８】
代替的に、本発明のさらに別の実施形態において、処理ユニット３０２は、検出ユニット３０１により検出される照度値が０．５ルクスよりも小さいと判定し、検出ユニット３０１により検出される、処理ユニット３０２の外部環境のノイズ値が１００デシベルよりも大きいと判定し、ユーザにより入力されたダイアル命令を受け取った場合、イヤホンジャック位置を示すべく、イヤホンジャック位置の模式的アイコン（図２に示す）を表示するよう表示ユニット３０３に命令する。
【００６９】
代替的に、本発明の最後の実施形態において、処理ユニット３０２は、検出ユニット３０１により検出される照度値が０．５ルクスよりも小さいと判定し、検出ユニット３０１により検出される、処理ユニット３０２の外部環境のノイズ値が１００デシベルよりも大きいと判定し、端末が通話中であると判定した場合、イヤホンジャック位置を示すべく、イヤホンジャック位置の模式的アイコン（図２に示す）を表示するよう表示ユニット３０３に命令する。
【００７０】
本発明の本実施形態において、端末のバッテリレベルが第２の予め定められた閾値よりも低い場合、端末により表示されるプロンプト情報は、第１ジャック位置を示す、すなわち、充電器ジャック位置を示すのに用いられることを理解されたい。加えて、プロンプト情報は、充電器プラグが正しく挿入されることを確実にするべく、挿入方向を示すのに用いられてよい。
【００７１】
よって、本発明の本実施形態において提供される端末によれば、検出ユニット３０１は、端末が位置する環境の照度値を、リアルタイムでまたは間隔を空けて一度検出する。加えて、照度値が第１の予め定められた閾値よりも低い場合であって、端末が位置する環境のノイズ値が第３の予め定められた閾値よりも大きいことが検出され、端末が通話状況にある（通話命令を受け取ること、ユーザにより入力されたダイアル命令を受け取ること、または通話中であることを含む）と処理ユニット３０２が判定した場合、処理ユニット３０２は、イヤホンジャック位置を示すのに用いられるプロンプト情報を表示するよう表示ユニット３０３に命令する。よって、ユーザは、応答サービスまたは通話サービスを処理するのに間に合って、他と通信することができる。代替的に、処理ユニット３０２は、携帯電話でＦＭアプリケーションまたは音楽アプリケーションが動作を開始したところである、または動作中であるというインジケーションを受け取った場合、イヤホンジャック位置を示すのに用いられるプロンプト情報を表示するよう表示ユニット３０３に命令する。よって、ユーザは、音楽を観賞するのに間に合うことができる。
【００７２】
本発明の本実施形態において、ある時点では、１つの情報に加えて、予め設定された条件を同時に満たし、第２情報に含まれる２つ以上の情報が存在してもよい。
【００７３】
具体的には、本発明の別の実施形態において、処理ユニット３０２は、検出ユニット３０１により検出される照度値が０．５ルクスよりも小さいと判定し、検出ユニット３０１により検出される、携帯電話の外部環境のノイズ値が１００デシベルよりも大きいと判定し、ＦＭアプリケーションが動作を開始したところである、または動作中であるというインジケーションを受け取り、その時点で携帯電話自体のバッテリレベルが１５％よりも低いと判定した場合に、充電器ジャック位置、挿入方向、およびイヤホンジャック位置を示すべく、充電器ジャック位置の模式的アイコンとイヤホンジャック位置の模式的アイコンと（図２に示す）の両方を表示するよう表示ユニット３０３に命令する。
【００７４】
よって、本発明の本実施形態において提供される端末によれば、端末が位置する環境の照度値がリアルタイムでまたは定期的に検出される。第２情報は、環境の照度値が第１の予め定められた閾値よりも低いと判定された場合に検出される。第２情報が予め設定された条件を満たすと判定された場合、ジャック位置を示すのに用いられるプロンプト情報が予め設定された条件に従って表示され、それにより、ユーザが、暗い夜間にまたは光が不十分な場合に端末を使用するときに、端末のジャック位置を容易に見つけることができることが確実になる。
【００７５】
図４は、本発明の一実施形態に係る端末の模式構造図の一例である。図４に示すように、端末４００は、センサ４１０と、プロセッサ４２０と、スクリーンディスプレイ４３０とを備える。
【００７６】
センサ４１０は、端末が位置する環境の照度値を検出するよう構成される。
【００７７】
プロセッサ４２０は、センサ４１０により検出される照度値が第１の予め定められた閾値よりも低いか否かを判定するよう構成される。
【００７８】
センサ４１０は、さらに、照度値が第１の予め定められた閾値よりも低いとプロセッサ４２０が判定した場合に、第２情報を検出するよう構成される。
【００７９】
プロセッサ４２０は、さらに、第２情報が端末の予め設定された条件を満たすか否かを判定し、第２情報が予め設定された条件を満たすと判定した場合にプロンプト命令をスクリーンディスプレイに送るよう構成される。
【００８０】
具体的には、第２情報は、端末のバッテリレベル、端末の第１アプリケーションプログラムの動作状況、または端末が位置する環境のノイズ値と端末の通話状況との両方等を含んでよい。通話状況は、以下を含んでよい。端末が通話命令を受け取ること、端末がユーザにより入力されたダイアル命令を受け取ること、または端末が通話中であること等。予め設定された条件は、以下を含んでよい。センサ４１０により検出される端末のバッテリレベルが第２の予め定められた閾値よりも低いとプロセッサ４２０が判定すること、または、第１アプリケーションプログラムが動作を開始したところである、もしくは動作中であるとプロセッサ４２０が判定すること。アプリケーションプログラムは、ＦＭアプリケーションまたは音楽アプリケーション等を含んでよい。代替的に、予め設定された条件は、以下を含む。センサ４１０により検出される、端末が位置する環境のノイズ値が第３の予め定められた閾値よりも大きいとプロセッサ４２０が判定し、プロセッサ４２０が通話命令を受け取ること、または、端末が位置する環境のノイズ値が第３の予め定められた閾値よりも大きいことをプロセッサ４２０が検出し、プロセッサ４２０がユーザにより入力されたダイアル命令を受け取ること、または、センサ４１０により検出される、端末が位置する環境のノイズ値が第３の予め定められた閾値よりも大きいとプロセッサ４２０が判定し、端末が通話中であること。
【００８１】
プロセッサ４２０は、第２情報のいずれか１つが対応する予め設定された条件を満たす場合に、プロンプト命令をスクリーンディスプレイ４３０に送る。
【００８２】
スクリーンディスプレイ４３０は、プロンプト命令を受け取り、プロンプト命令に従ってプロンプト情報を表示するよう構成される。プロンプト情報は、ジャック位置を示すのに用いられる。
【００８３】
具体的には、プロセッサ４２０は、第２情報が予め設定された条件を満たすと判定した場合、例えば、端末のバッテリレベルが第２の予め定められた閾値よりも低いとプロセッサ４２０が判定した場合に、プロンプト命令をスクリーンディスプレイ４３０に送る。当該命令は、プロンプト情報を表示するようスクリーンディスプレイ４３０に命令するのに用いられる。スクリーンディスプレイ４３０は、プロンプト命令を受け取り、プロンプト命令に従ってプロンプト情報を表示する。プロンプト情報は、第１ジャック位置を示すのに用いられる。本発明の本実施形態において、第１ジャック位置は、充電器ジャック位置である。  代替的に、端末が位置する環境のノイズ値が第３の予め定められた閾値よりも大きい場合であって、第１アプリケーションプログラムが動作中であるとプロセッサ４２０が判定した場合に、プロンプト命令がスクリーンディスプレイに送られる。スクリーンディスプレイ４３０は、プロンプト命令を受け取り、プロンプト命令に従ってプロンプト情報を表示する。プロンプト情報は、第２ジャック位置を示すのに用いられる。
【００８４】
第１アプリケーションプログラムが動作中であるとプロセッサ４２０が判定することは、以下を含んでよいことを理解されたい。端末が第１アプリケーションプログラムの動作を開始したところであること、または、端末がアプリケーションプログラムを動作中であること。
【００８５】
代替的に、プロセッサ４２０は、センサ４１０により検出される、端末が位置する環境のノイズ値が第３の予め定められた閾値よりも大きいと判定し、通話命令を受け取った場合に、プロンプト命令をスクリーンディスプレイに送る。スクリーンディスプレイ４３０は、プロンプト命令を受け取り、プロンプト命令に従ってプロンプト情報を表示する。プロンプト情報は、第２ジャック位置を示すのに用いられる。本発明の本実施形態において、第２ジャック位置は、イヤホンジャック位置である。代替的に、端末が位置する環境のノイズ値が第３の予め定められた閾値よりも大きいことをセンサ４１０が検出し、プロセッサ４２０がユーザにより入力されたダイアル命令を受け取った場合に、プロンプト命令がスクリーンディスプレイ４３０に送られる。スクリーンディスプレイ４３０は、プロンプト命令を受け取り、プロンプト命令に従ってプロンプト情報を表示する。プロンプト情報は、第２ジャック位置を示すのに用いられる。代替的に、端末が位置する環境のノイズ値が第３の予め定められた閾値よりも大きいことをセンサが検出し、端末が通話中であるとプロセッサ４２０が判定した場合に、プロンプト命令がスクリーンディスプレイ４３０に送られる。スクリーンディスプレイ４３０は、プロンプト命令を受け取り、プロンプト命令に従ってプロンプト情報を表示する。プロンプト情報は、第２ジャック位置を示すのに用いられる。
【００８６】
本発明の本実施形態において、センサ４１０は、端末が位置する環境の照度値を検出するのみならず、端末が位置する環境のノイズ値も検出するよう構成されることを理解されたい。センサ４１０は、フォトセンサおよび／またはノイズセンサを含んでよいが、本発明の本実施形態はこれに限定されるものではない。
【００８７】
端末のバッテリレベルが第２の予め定められた閾値よりも低い場合、スクリーンディスプレイ４３０により表示されるプロンプト情報は、第１ジャック位置を示す、すなわち、充電器ジャック位置を示すのに用いられることをさらに理解されたい。加えて、プロンプト情報は、充電器プラグが正しく挿入されることを確実にするべく、挿入方向を示すのに用いられてよい。
【００８８】
具体的には、本発明の一実施形態において、センサ４１０は、端末が位置する環境の照度値（単位：ルクス）を、リアルタイムでまたは間隔を空けて一度検出してよい。例えば、センサ４１０は、端末が位置する環境の照度値を５分毎に一度検出し、検出結果をプロセッサ４２０にフィードバックする。プロセッサ４２０は、センサ４１０により検出される照度値が０．５ルクスよりも小さいと判定し、端末自体のバッテリレベルが１５％よりも低いと判定した場合に、プロンプト命令をスクリーンディスプレイ４３０に送る。スクリーンディスプレイ４３０は、プロンプト命令を受け取り、そして、充電器ジャック位置を示し、挿入方向を示すべく、当該命令に従って充電器ジャック位置の模式的アイコン（図２に示す）を表示する。
【００８９】
よって、本発明の本実施形態において提供される端末によれば、センサ４１０は、端末が位置する環境の照度値を、リアルタイムでまたは定期的に一度検出する。加えて、照度値が第１の予め定められた閾値よりも低い場合であって、携帯電話自体のバッテリレベルが第２の予め定められた閾値よりも低いとプロセッサ４２０が判定した場合、プロセッサ４２０は、プロンプト情報を表示するようスクリーンディスプレイ４３０に命令する。ユーザは、充電器ジャック位置を示すのに用いられるプロンプト情報に従って、携帯電話を充電するのに間に合って継続的に使用することができる。
【００９０】
代替的に、本発明の別の実施形態において、プロセッサ４２０は、センサ４１０により検出される照度値が０．５ルクスよりも小さいと判定し、センサ４１０により検出される、プロセッサ４２０の外部環境のノイズ値が１００デシベルよりも大きいと判定し、端末の第１アプリケーションプログラムが動作中であると判定した場合に、プロンプト命令をスクリーンディスプレイ４３０に送る。スクリーンディスプレイ４３０は、プロンプト命令を受け取り、そして、イヤホンジャック位置を示すべく、プロンプト命令に従ってイヤホンジャック位置の模式的アイコン（図２に示す）を表示する。
【００９１】
第１アプリケーションプログラムが動作中であるとプロセッサ４２０が判定することは、以下を含んでよいことを理解されたい。端末が第１アプリケーションプログラムの動作を開始したところであること、または、端末がアプリケーションプログラムを動作中であること。
【００９２】
代替的に、本発明のさらに別の実施形態において、プロセッサ４２０は、センサ４１０により検出される、端末が位置する環境の照度値が０．５ルクスよりも小さいと判定し、センサ４１０により検出される、プロセッサ４２０の外部環境のノイズ値が１００デシベルよりも大きいと判定し、通話命令を受け取った場合に、プロンプト命令をスクリーンディスプレイ４３０に送る。スクリーンディスプレイ４３０は、プロンプト命令を受け取り、そして、イヤホンジャック位置を示すべく、当該命令に従ってイヤホンジャック位置の模式的アイコン（図２に示す）を表示する。
【００９３】
代替的に、本発明のさらに別の実施形態において、プロセッサ４２０は、センサ４１０により検出される照度値が０．５ルクスよりも小さいと判定し、センサ４１０により検出される、プロセッサ４２０の外部環境のノイズ値が１００デシベルよりも大きいと判定し、ユーザにより入力されたダイアル命令を受け取った場合に、プロンプト命令をスクリーンディスプレイ４３０に送る。スクリーンディスプレイ４３０は、プロンプト命令を受け取り、そして、イヤホンジャック位置を示すべく、プロンプト命令に従ってイヤホンジャック位置の模式的アイコン（図２に示す）を表示する。
【００９４】
代替的に、本発明の最後の実施形態において、プロセッサ４２０は、センサ４１０により検出される照度値が０．５ルクスよりも小さいと判定し、センサ４１０により検出される、プロセッサ４２０の外部環境のノイズ値が１００デシベルよりも大きいと判定し、端末が通話中であると判定した場合に、プロンプト命令をスクリーンディスプレイ４３０に送る。スクリーンディスプレイ４３０は、プロンプト命令を受け取り、そして、イヤホンジャック位置を示すべく、プロンプト命令に従ってイヤホンジャック位置の模式的アイコン（図２に示す）を表示する。
【００９５】
本発明の本実施形態において、端末のバッテリレベルが第２の予め定められた閾値よりも低い場合、端末により表示されるプロンプト情報は、第１ジャック位置を示す、すなわち、充電器ジャック位置を示すのに用いられることを理解されたい。加えて、プロンプト情報は、充電器プラグが正しく挿入されることを確実にするべく、挿入方向を示すのに用いられてよい。
【００９６】
よって、本発明の本実施形態において提供される端末によれば、センサ４１０は、端末が位置する環境の照度値を、リアルタイムでまたは間隔を空けて一度検出する。加えて、照度値が第１の予め定められた閾値よりも低い場合であって、端末が位置する環境のノイズ値が第３の予め定められた閾値よりも大きいことが検出され、端末が通話状況にある（通話命令を受け取ること、ユーザにより入力されたダイアル命令を受け取ること、または通話中であることを含む）とプロセッサ４２０が判定した場合、プロセッサ４２０は、イヤホンジャック位置を示すのに用いられるプロンプト情報を表示するようスクリーンディスプレイ４３０に命令する。よって、ユーザは、応答サービスまたは通話サービスを処理するのに間に合って、他と通信することができる。代替的に、プロセッサ４２０は、第１アプリケーションプログラムが動作を開始したところである、または動作中であるというインジケーションを受け取った場合に、イヤホンジャック位置を示すのに用いられるプロンプト情報を表示するようスクリーンディスプレイ４３０に命令する。よって、ユーザは、音楽を観賞するのに間に合うことができる。
【００９７】
本発明の本実施形態において、ある時点では、１つの情報に加えて、予め設定された条件を同時に満たし、第２情報に含まれる２つ以上の情報が存在してもよい。
【００９８】
具体的には、本発明の別の実施形態において、プロセッサ４２０は、センサ４１０により検出される照度値が０．５ルクスよりも小さいと判定し、センサ４１０により検出される、携帯電話の外部環境のノイズ値が１００デシベルよりも大きいと判定し、第１アプリケーションプログラムが動作を開始したところである、または動作中であるというインジケーションを受け取り、その時点で携帯電話自体のバッテリレベルが１５％よりも低いと判定した場合に、充電器ジャック位置、挿入方向、およびイヤホンジャック位置を示すべく、充電器ジャック位置の模式的アイコンとイヤホンジャック位置の模式的アイコンと（図２に示す）の両方を表示するようスクリーンディスプレイ４３０に命令する。
【００９９】
よって、本発明の本実施形態において提供される端末によれば、端末が位置する環境の照度値がリアルタイムでまたは定期的に検出される。第２情報は、環境の照度値が第１の予め定められた閾値よりも低いと判定された場合に検出される。第２情報が予め設定された条件を満たすと判定された場合、ジャック位置を示すのに用いられるプロンプト情報が予め設定された条件に従って表示され、それにより、ユーザが、暗い夜間にまたは光が不十分な場合に端末を使用するときに、端末のジャック位置を容易に見つけることができることが確実になる。
【０１００】
本発明の本実施形態において、図４に示す端末４００は、メモリ４４０、周辺インタフェース４５０、および電源４６０のようなコンポーネントをさらに備えることに留意されたい。図４に示すこれらのコンポーネントは、１つまたは複数のバスを用いて通信を行ってよい。当業者であれば、図４に示す端末４００の構造が本発明に対する限定となるものではないことは理解されよう。この構造は、バス型構造であってよく、またはスター型構造であってもよい。また、図に示すものよりも多数のまたは少数のコンポーネントをさらに含んでよく、いくつかのコンポーネントを組み合わせてもよく、またはコンポーネントの配置が異なっていてもよい。本発明の本実施形態において、端末は、携帯電話であってよい。
【０１０１】
以下、図４に示す端末４００の構成部分を詳細に説明する。
【０１０２】
センサ４１０は、光センサまたはノイズセンサであってよい。具体的には、光センサは、環境光センサおよび近接センサを含んでよい。環境光センサは、環境光の明るさに従ってスクリーンディスプレイ４３０の輝度を調節してよく、近接センサは、端末４００（主に携帯電話を指す）が耳に近づいた場合にスクリーンディスプレイ４３０のバックライトを絞ってよい。ノイズセンサは、環境ノイズの定点オンライン監視および車両試験線の自動ノイズ測定に適用可能である。
【０１０３】
プロセッサ４２０は、端末デバイスのコントロールセンターであり、様々なインタフェースおよび回線を用いて電子デバイス全体の部分どうしを接続する。プロセッサ４２０は、メモリに記憶されているソフトウェアプログラムおよび／またはモジュールを動作させるまたは実行すること、およびメモリ４４０に記憶されているデータを呼び出すことにより、端末デバイスの様々な機能を行う、および／またはデータを処理する。プロセッサ４２０は、集積回路（Ｉｎｔｅｇｒａｔｅｄ  Ｃｉｒｃｕｉｔ、略してＩＣ）を含んでよい。例えば、単独パッケージ化ＩＣを含んでよく、または、同一の機能または異なる機能を有する複数の接続されたパッケージ化ＩＣを含んでもよい。例えば、プロセッサ４２０は、中央処理装置（Ｃｅｎｔｒａｌ  Ｐｒｏｃｅｓｓｉｎｇ  Ｕｎｉｔ、略してＣＰＵ）のみを含んでよく、または、ＧＰＵとデジタルシグナルプロセッサ（Ｄｉｇｉｔａｌ  Ｓｉｇｎａｌ  Ｐｒｏｃｅｓｓｏｒ、ＤＳＰ）との組み合わせであってもよい。本発明の本実施形態において、ＣＰＵは、単一の演算コアを含んでよく、または複数の演算コアを含んでもよい。
【０１０４】
例えば、スクリーンディスプレイ４３０は、ＬＣＤ（Ｌｉｑｕｉｄ  Ｃｒｙｓｔａｌ  Ｄｉｓｐｌａｙ、液晶ディスプレイ）、ＯＬＥＤ（Ｏｒｇａｎｉｃ  Ｌｉｇｈｔ−Ｅｍｉｔｔｉｎｇ  Ｄｉｏｄｅ、有機発光ダイオード）、または電界放出ディスプレイ（ｆｉｅｌｄ  ｅｍｉｓｓｉｏｎ  ｄｉｓｐｌａｙ、略してＦＥＤ）の形態で配されたスクリーンディスプレイであってよい。
【０１０５】
メモリ４４０は、ソフトウェアプログラムおよびモジュールを記憶するよう構成されてよい。プロセッサは、メモリに記憶されたソフトウェアプログラムおよびモジュールを動作させることにより、端末デバイスの様々な機能およびアプリケーションを実行し、データ処理を実現する。メモリは、主にプログラム記憶領域およびデータ記憶領域を含む。プログラム記憶領域は、オペレーティングシステム、音声再生プログラムまたは画像再生プログラムのような少なくとも１つの機能により必要とされるアプリケーションプログラムを記憶してよい。データ記憶領域は、端末デバイスの使用に従って作成される（オーディオデータまたはアドレス帳のような）データ等を記憶してよい。本発明の具体的な実装形態において、メモリは、不揮発性ランダムアクセスメモリ（Ｎｏｎｖｏｌａｔｉｌｅ  Ｒａｎｄｏｍ  Ａｃｃｅｓｓ  Ｍｅｍｏｒｙ、略してＮＶＲＡＭ）、相変化ランダムアクセスメモリ（Ｐｈａｓｅ  Ｃｈａｎｇｅ  ＲＡＭ、略してＰＲＡＭ）、もしくは磁気抵抗ランダムアクセスメモリ（Ｍａｇｎｅｔｏｒｅｓｉｓｔｉｖｅ  ＲＡＭ、略してＭＲＡＭ）のような不揮発性メモリを含んでよく、または、少なくとも１つの磁気ディスク記憶デバイス、電気的消去可能プログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略してＥＥＰＲＯＭ）、もしくは、ＮＯＲ型フラッシュメモリ（ＮＯＲ  ｆｌａｓｈ  ｍｅｍｏｒｙ）もしくはＮＡＮＤ型フラッシュメモリ（ＮＡＮＤ  ｆｌａｓｈ  ｍｅｍｏｒｙ）のようなフラッシュ記憶デバイスのような不揮発性メモリを含んでもよい。不揮発性メモリは、処理ユニットにより実行されるオペレーティングシステムおよびアプリケーションプログラムを記憶する。プロセッサは、不揮発性メモリから動作中のプログラムおよびデータをメモリにロードし、デジタルコンテンツを大容量記憶装置に記憶する。オペレーティングシステムは、メモリ管理、記憶デバイス制御、または電力管理のようなルーチンシステムタスクを制御および管理し、様々なソフトウェアおよびハードウェア間での通信を容易にするよう構成される様々なコンポーネントおよび／またはドライバを含む。本発明の本実施形態において、オペレーティングシステムは、ＧｏｏｇｌｅのＡｎｄｒｏｉｄ（登録商標）システム、Ａｐｐｌｅにより開発されているｉＯＳシステム、Ｍｉｃｒｏｓｏｆｔにより開発されているＷｉｎｄｏｗｓ（登録商標）オペレーティングシステム、またはＶｘｗｏｒｋｓのような組み込みオペレーティングシステムであってよい。
【０１０６】
アプリケーションプログラムは、ブラウザ、電子メール、インスタントメッセージサービス、文書処理、キーボードの仮想化、ウィジェット（Ｗｉｄｇｅｔ）、暗号化、デジタル著作権管理、発話認識、発話再生、測位（例えば、全地球測位システムにより提供される機能）、および音楽再生を含むがこれらに限定されるものではない、携帯電話端末にインストールされる任意のアプリケーションを含む。
【０１０７】
周辺インタフェース４５０は、ＵＳＢジャックおよびイヤホンジャック等を含む。
【０１０８】
電源４６０は、端末デバイスの動作を維持するべく、端末の様々な部分に電力を供給するよう構成される。概して、電源は、内蔵バッテリ、例えば、一般的なリチウムイオンバッテリまたはニッケル金属水素化物バッテリであってよく、また、電力を端末デバイスに直接供給する外部電源、例えば、ＡＣアダプタを含んでよい。
【０１０９】
当業者であれば、本明細書に開示の実施形態において説明した例と組み合わせて、ユニットおよびアルゴリズム段階が、電子ハードウェア、コンピュータソフトウェア、またはそれらの組み合わせにより実装されてよいことをさらに認識されよう。ハードウェアとソフトウェアとの間の互換性を明確に説明すべく、上記では概して、各例の構成及び段階を機能に従って説明している。それらの機能がハードウェアによって行われるか、ソフトウェアによって行われるかは、技術的解決手段の特定の用途および設計制約条件に依存する。当業者は、異なる方法を用いて、説明されているそれらの機能を特定の用途ごとに実装し得る。しかしながら、そのような実装は、本発明の範囲を超えるものとみなされるべきではない。
【０１１０】
本明細書に開示の実施形態において説明されている方法およびアルゴリズムの段階は、ハードウェア、プロセッサにより実行されるソフトウェアモジュール、またはそれらの組み合わせにより実装されてよい。ソフトウェアモジュールは、ランダムアクセスメモリ（ＲＡＭ）、メモリ、リードオンリメモリ（ＲＯＭ）、電気的プログラマブルＲＯＭ、電気的消去可能プログラマブルＲＯＭ、レジスタ、ハードディスク、リムーバブルディスク、ＣＤ−ＲＯＭ、または当技術分野で知られている任意の他の形態の記憶媒体に存在してよい。
【０１１１】
上記の具体的な実装形態において、本発明の目的、技術的解決手段、および利益がさらに詳細に説明されている。上記の説明は、本発明の具体的な実装形態に過ぎず、本発明の保護範囲を限定することを意図するものではないことを理解されたい。本発明の主旨および原理から逸脱することなくなされるあらゆる変形、均等的な置き換え、または改良は、本発明の保護範囲に収まるものとする。
【図１】
0006579724.tif 000002
【図２】
0006579724.tif 000003
【図３】
0006579724.tif 000004
【図４】
0006579724.tif 000005